(57)【要約】  射出型内に堅く密閉されることで電磁妨害がセンサ信号を妨害するのを妨げる、遮蔽していない歪ゲージセンサケーブルである。この遮蔽していないケーブルの使用により、コストがかなり削減され、且つ、遮蔽したケーブルには存在しない迅速な設置及び可動性が可能となる。【選択図】図１
2016520191.tif 000002
【特許請求の範囲】
【請求項１】
射出型に使用するためのキャビティ歪ゲージセンサ構成物であって、該構成物は：
ｉ．歪ゲージセンサ；
ｉｉ．信号調整器；
ｉｉｉ．型の側部に取り付けられ且つ堅く電気遮蔽した筐体を提供する中継コネクタ；
ｉｖ．前記歪ゲージセンサを前記中継コネクタに接続する、前記電気遮蔽した筐体内に設置される、遮蔽していないケーブル及び該ケーブル用の遮蔽していないコネクタ；
ｖ．前記中継コネクタを前記信号コネクタに接続する遮蔽した延長ケーブルであって、３６０度の遮蔽がコネクタを介して搬送され、且つ前記中継コネクタ及び前記信号調整器ケースに結合される、遮蔽した延長ケーブル
を備える、キャビティ歪ゲージセンサ構成物。
【請求項２】
前記歪ゲージセンサは完全なホイートストンブリッジセンサ要素を利用する、ことを特徴とする請求項１に記載のキャビティ歪ゲージセンサ構成物。
【請求項３】
前記歪ゲージセンサは半分のホイートストンブリッジセンサ要素を利用する、ことを特徴とする請求項１に記載のキャビティ歪ゲージセンサ構成物。
【請求項４】
前記歪ゲージセンサは４分の１のホイートストンブリッジセンサ要素を利用する、ことを特徴とする請求項１に記載のキャビティ歪ゲージセンサ構成物。
【請求項５】
前記ホイートストンブリッジの完成した回路は前記遮蔽していないコネクタに位置付けられる、ことを特徴とする請求項３に記載のキャビティ歪ゲージセンサ構成物。
【請求項６】
前記ホイートストンブリッジの完成した回路は前記遮蔽していないコネクタに位置付けられる、ことを特徴とする請求項４に記載のキャビティ歪ゲージセンサ構成物。
【請求項７】
複数の歪ゲージセンサが、前記遮蔽していないケーブル及び遮蔽していないコネクタを用いて前記中継コネクタに取り付けられる、ことを特徴とする請求項１に記載のキャビティ歪ゲージセンサ構成物。
【請求項８】
前記複数のセンサのための励起信号は、前記遮蔽した延長ケーブルにおける共通のワイヤーにより提供される、ことを特徴とする請求項１に記載のキャビティ歪ゲージセンサ構成物。
【請求項９】
射出型に使用するためのキャビティ歪ゲージセンサ構成物であって、該構成物は：
ｉ．歪ゲージ；
ｉｉ．型の側部に取り付けられ且つ堅く電気遮蔽した筐体を提供する信号調整器；
ｉｉｉ．前記歪ゲージを前記信号調整器に接続する、前記電気遮蔽した筐体内に設置される、遮蔽していないケーブル及び該ケーブル用の遮蔽していないコネクタであって、型の内部の筐体内で遮蔽される、遮蔽していないケーブル及び該ケーブル用の遮蔽していないコネクタ；
を備える、キャビティ歪ゲージセンサ構成物。
【請求項１０】
前記歪ゲージセンサは完全なホイートストンブリッジセンサ要素を利用する、ことを特徴とする請求項９に記載のキャビティ歪ゲージセンサ構成物。
【請求項１１】
前記歪ゲージセンサは半分のホイートストンブリッジセンサ要素を利用する、ことを特徴とする請求項９に記載のキャビティ歪ゲージセンサ構成物。
【請求項１２】
前記歪ゲージセンサは４分の１のホイートストンブリッジセンサ要素を利用する、ことを特徴とする請求項９に記載のキャビティ歪ゲージセンサ構成物。
【請求項１３】
前記ホイートストンブリッジの完成した回路は前記遮蔽していないコネクタに位置付けられる、ことを特徴とする請求項１１に記載のキャビティ歪ゲージセンサ構成物。
【請求項１４】
前記ホイートストンブリッジの完成した回路は前記遮蔽していないコネクタに位置付けられる、ことを特徴とする請求項１２に記載のキャビティ歪ゲージセンサ構成物。
【請求項１５】
複数の歪ゲージセンサが、前記遮蔽していないケーブル及び遮蔽していないコネクタを用いて前記中継コネクタに取り付けられる、ことを特徴とする請求項９に記載のキャビティ歪ゲージセンサ構成物。
【発明の詳細な説明】
【技術分野】
【０００１】
関係者各位へ：
アメリカ合衆国国民である、ミシガン州グランドトラバース郡トラバースシティーに居住する、私、Ｍｉｃｈａｅｌ  Ｒａｙｍｏｎｄ  Ｇｒｏｌｅａｕは、本明細書に記載される「中継コネクタ」である、新規且つ有用なデバイスを発明したことを知らせる。
【背景技術】
【０００２】
射出成型の用途において、キャビティ圧力センサ（ｃａｖｉｔｙ  ｐｒｅｓｓｕｒｅ  ｓｅｎｓｏｒｓ）が使用され、品質の部分的な改善を促進するため、及び品質の欠陥を自動的に検出するためにプロセスデータを提供する。キャビティ圧力センサは、加えられた力から電気信号を作り出すセンサ本体から成る。キャビティ圧力センサはまた、電気信号を信号調整ユニットに送信するケーブルを備える。信号の調整部は、アナログ電気信号を増幅し、幾つかの例において、電気信号をデジタル信号に変換して、コンピュータ処理モニタ又は制御デバイスに読み込ませる。
【０００３】
射出成型のためのキャビティの感知は、２つの技術（圧電センサ及び歪ゲージセンサ）に基づく。圧電センサにおいて、センサ本体は、ピコ・クーロン（Ｐｉｃｏ  Ｃｏｕｌｏｍｂｓ）で測定される電荷を作り出し、それは、２つの導体の同軸ケーブルを介して信号調整部に搬送される。１０年近くの間、圧電センサはマルチチャネル・コネクタと共に利用可能であった。これらマルチチャネル・コネクタの利点は、複数のセンサがそれぞれの信号調整ユニットに取り付けられるのを可能にする単一接続点である。これにより、型の側部に必要とされる空間、信号調整部への接続に必要とされるケーブルの数、及び、複数のセンサをそれぞれの信号調整ユニットに一致させることに関わる複雑性が低減される。
【０００４】
また、多くの射出成型センサの用途において、信号調整部は、型の側部に直接取り付けられる。これにより特定の利点が提供される一方で、信号調整部は、幾つかの型に対する高熱、ショック、及び衝撃にさらされ、これらは、信号調整ユニットを恒久的に傷つけ得る。マルチチャネル・コネクタでは、信号調整ユニットは型の熱及びショックから遠ざけて取り付けられるが、一方で型から信号調整部までおよぶ単一の接続ケーブルしか利用しない。
【０００５】
歪ゲージセンサは、一方で、４つの導体を持つケーブルを必要とし、コネクタの２つは励起電圧を提供し、残りの２つはミリボルト信号を搬送する。これらセンサは、幾つかの場合において信号調整ユニットに恒久的に取り付けられる、統合ケーブルを持つ。顧客は、歪ゲージセンサの用途においてマルチチャネル・コネクタを使用できることを望むが、このことは、以下の技術的な課題により制限されてきた。
【０００６】
第１に、歪ゲージセンサにおいて、ケーブルにより搬送されるミリボルト信号は、信号ノイズが漂遊電磁妨害（ＥＭＩ）により導入されるのを妨げる電気遮蔽（ｅｌｅｃｔｒｏｎｉｃ  ｓｈｉｅｌｄｉｎｇ）を必要とする。ＥＭＩは、射出成型環境における特定の問題であり、成型用途のための歪ゲージセンサは従来、信号ノイズを妨げるための遮蔽を必要としてきた。
【０００７】
第２に、マルチチャネル・コネクタは、センサをマルチチャネル・コネクタに取り付けるための接続点を必要とする。より多くの数の導体により、マルチチャネル・コネクタに適合するほど小さなコネクタを見出すことは困難である。コネクタの大きさを制限する主な要因は、電気ノイズに対する遮蔽を提供するために通常使用される金属シェルである。
【０００８】
また、接続時にケーブルの遮蔽を確実に搬送する、遮蔽したコネクタを見出すことも困難である。
【０００９】
最後に、大きさ及び遮蔽の制約を満たすコネクタは、かなり高価である。
【００１０】
本発明は、型の内部にある遮蔽していないケーブル及びコネクタの使用を介し、これらの課題全てを解消する。遮蔽を取り除くことにより、本発明の発明者は、より小さくて高価でないコネクタが、個々の歪ゲージセンサをマルチチャネル・コネクタに取り付けるために使用できることを発見した。また、ＥＭＩによる信号ノイズを妨げるために、信号ノイズの低減が、型の内部にある堅く密閉した遮蔽筐体内で、遮蔽していないケーブルとコネクタを堅く囲むことにより達成されることが発見された。ここで、型及びマルチチャネル・コネクタは、堅く密閉され、この遮蔽を提供する。マルチチャネル・コネクタに３６０度で結合される（ｔｉｅｄ）遮蔽を持つ、遮蔽した延長ケーブルが後に使用され、熱及びショックから遠ざけて型の上に取り付けられ又はそこから取り外されることが可能な信号調整器に、信号を搬送する。
【発明の概要】
【００１１】
本発明は、射出型に使用するためのキャビティ歪ゲージセンサ構成物であり、該構成物は、以下の、歪ゲージセンサ、信号調整器、及び、型の側部に取り付けられ且つ堅く電気遮蔽した筐体を提供する中継コネクタを備える。更に、歪ゲージを中継コネクタに接続する、電気遮蔽した筐体内に設置される、遮蔽していないケーブル、及び該ケーブル用の遮蔽していないコネクタもある。更に、３６０度の遮蔽がコネクタを介して搬送され、且つ中継コネクタ及び信号調整器ケースに結合される、中継コネクタを前記信号コネクタに接続する、遮蔽した延長ケーブルもある。
【図面の簡単な説明】
【００１２】
【図１】本発明の中継コネクタを備えた射出型の一部を示す。
【図２】射出型に取り付けられる、カバープレートの無い中継コネクタを示す。
【発明を実施するための形態】
【００１３】
図１は中継コネクタ（２）を備えた射出型（１４）を示す。射出型（１４）は、射出型（１４）の上面（１８）に置かれるマルチチャネル信号調整器（４）を持つ。中継コネクタ（２）は、射出型（１４）のエジェクタプレート（２０）の中に取り付けられ、型カバープレート（２２）で覆われる。更に、中継コネクタ（２）は、エジェクタプレート（２０）と型カバープレート（２２）と密に接触しており、それにより、３つの構成要素は射出型内に堅く遮蔽した筐体を形成する。中継コネクタ（２）は、遮蔽したケーブル（６）を介してマルチチャネル信号調整器（４）に接続される。射出型（１４）の外部にある遮蔽したケーブル（６）は、電磁妨害を妨げるように遮蔽されねばならない。電磁妨害は、信号送信の品質を乏しいものにする。エジェクタプレート（２０）に組み込まれ、且つカバープレート（２２）により堅く囲まれる中継コネクタ（２）により、射出プロセス中に射出型（１４）の内部のプラスチック製圧力の量を測定し、且つ、信号調整器（４）に信号をはっきりと送信することができる。型カバープレート（１６）も示される。
【００１４】
図２は、型カバープレート（２２）が無い射出型（１４）に取り付けられる中継コネクタ（２）を示す。この図面は、マルチチャネル信号調整器（４）を中継コネクタ（２）に接続する遮蔽したケーブル（６）を示す。遮蔽したケーブル（６）は、マルチチャネル信号調整器（４）から伸びており、射出型（１４）内に堅く密閉される遮蔽されていないケーブル（１０）に接続される。遮蔽していないケーブル（１０）は、センサポケット（３４）の内部で、中継コネクタ（２）から歪ゲージセンサ（１２）（例えば、ホイートストンブリッジ（Ｗｈｅａｔｓｔｏｎｅ  Ｂｒｉｄｇｅ））まで伸長する。完全な、半分の、及び４分の１のホイートストンブリッジが、本発明の利点のために使用され得る。遮蔽していないコネクタ（２６）は、遮蔽していないケーブル（１０）の長さの途中に設置され、歪ゲージセンサ（１２）が中継コネクタ（２）から取り外されるのを可能にする。一旦接続が行われると、型カバープレート（１６）は交換される。
【００１５】
射出型（１４）内に堅く密閉された遮蔽していないケーブル（１０）を置くことで、電磁妨害が妨げられることが発見された。この電磁妨害の遮断により、信号を遮蔽したケーブル（６）及びマルチチャネル信号調整器（４）に送信するために、あまり高価でない遮蔽していないケーブル（１０）を使用することが可能となる。この工程によりコストがかなり削減され、遮蔽していないケーブル（１０）の迅速で安価な再構成が可能となる。
【００１６】
射出型（１４）が電磁妨害を妨害して、その結果良質な信号をもたらしたことも発見された。良質な信号を組み合わせた費用の低減は、全ての他の先行技術よりも明らかな利点を提供する。
【図１】
2016520191.tif 000003
【図２】
2016520191.tif 000004
【国際調査報告】
2016520191.tif 000005